(57)【要約】      （修正有）【課題】横断歩行者のスイッチ操作により横断中表示灯を発光表示させることにより、誤報を解消して車両の運転者に横断の意思を的確に伝えることができる横断表示装置を提供する。【解決手段】横断歩行者が横断する車道の側部に設置される横断表示装置は、車道の側部に支柱３が立設され、横断歩行者４や横断歩道２を照明する横断者用照明灯５，６と、横断歩行者が横断することを車両に報知するための横断中表示灯７と、横断歩行者が横断前に操作するスイッチ１０と、このスイッチの操作により横断者用照明灯、横断中表示灯の動作を制御するコントローラと、支柱に設けられた太陽電池パネル８からの電力を充電するバッテリーとを備える。【選択図】図１
0003185192.tif 000002
【実用新案登録請求の範囲】
【請求項１】
横断歩行者が横断する車道の側部に設置される横断表示装置であって、
前記道路の側部には支柱が立設され、
この支柱には横断歩行者や横断歩道を照明する横断者用照明灯と、
前記横断歩行者が横断することを車両に報知するための横断中表示灯と、
前記横断歩行者が横断前に操作するスイッチと、
前記スイッチの操作により前記横断者用照明灯、前記横断中表示灯の動作を制御するコントローラと、
前記支柱の設けられた太陽電池パネルからの電力を充電するバッテリーとを備えた横断表示装置。
【請求項２】
支柱には光センサーが設けられ、コントローラの制御により昼間は横断者用照明灯の点灯を停止させる請求項１に記載の横断表示装置。
【請求項３】
支柱にはスピーカが設けられ、制御ユニット内の音声ガイドコントローラにより、スイッチを操作したとき、横断歩行者に音声で注意事項をガイドする請求項１に記載の横断表示装置。
【考案の詳細な説明】
【技術分野】
【０００１】  本考案は、横断歩行者が横断歩道を横断することを走行中の車両に伝えるための横断表示装置に関するものである。
【背景技術】
【０００２】  従来、特に信号機設備のない横断歩道においては、一般に照明装置が内蔵された、いわゆる内照式の横断歩道道路標識が設置されている。そしてこの照明装置を夜間中点灯させることにより、夜間横断歩道に向かって走行してくる車両に対して横断歩道の存在を認識させている。ところが、内照式の横断歩道道路標識であっても、走行中の車両に横断歩道の存在を認識させることはできても、横断する歩行者等の存在をドライバーに対して注意を喚起させることは困難であった。このため、内照式の横断歩道道路標識が設置されているものの、横断歩道での事故が絶えないのが現状である。【０００３】  このような問題を解決するため、横断歩道に向かって走行してくる車両のドライバーに対して、横断歩道を横断している歩行者や自転車等の存在を認識させると共に注意を喚起させることを目的とした交通安全システムが提案されている。特開２００９−３２２６０号公報（特許文献１）、特開２００６−１１３６５９号公報（特許文献２）及び、特許第４０９７１４４号公報（特許文献３）には、歩行者センサーを設け、このセンサーが横断もしくは接近中の歩行者の動きを感知したとき、歩行者および横断歩道を照明する発光灯を点灯させ、車両の運転者に歩行者の存在を知らせる装置が提案されている。また、特開２００１−１０９９９５号公報（特許文献４）及び、特開平１１−２０９９２９号公報（特許文献５）には、歩行者センサーが歩行者を検出したとき、横断歩道の路面に敷設した発光部を発光させ、車両の運転者に歩行者の存在を知らせる装置が提案されている。
【先行技術文献】
【特許文献】
【０００４】
【特許文献１】特開２００９−３２２６０号公報
【特許文献２】特開２００６−１１３６５９号公報
【特許文献３】特許第４０９７１４４号公報
【特許文献４】特開２００１−１０９９９５号公報
【特許文献５】特開平１１−２０９９２９号公報
【考案の概要】
【考案が解決しようとする課題】
【０００５】  上記各特許文献に開示された交通安全のための装置は、歩行者をセンサーにより感知して照明灯を発光させ、歩行者や横断歩道を照明することにより、車両の運転者に歩行者の存在を知らせるようにしている。しかしながら、横断歩道の端に設置されたセンサーを通過するのは、横断しようとする歩行者に限らず、単に歩道等を通過する歩行者もセンサーが感知して照明灯を発光させることがあり、車両の運転者に誤報を知らせる結果となることから、交通に支障を来す問題がある。【０００６】  本考案が解決しようとする課題は、横断歩行者のスイッチ操作により横断中表示灯を発光表示させることにより、誤報を解消して車両の運転者に横断の意思を的確に伝えることができる横断表示装置を提供することにある。
【課題を解決するための手段】
【０００７】  そこで、本考案は、横断歩行者が横断する車道の側部に設置される横断表示装置であって、前記車道の側部には支柱が立設され、この支柱には横断歩行者や横断歩道を照明する横断者用照明灯と、前記横断歩行者が横断することを車両に報知するための横断中表示灯と、前記横断歩行者が横断前に操作するスイッチと、前記スイッチの操作により前記横断者用照明灯、前記横断中表示灯の動作を制御するコントローラと、前記支柱の設けられた太陽電池パネルからの電力を充電するバッテリーとを備えることを要旨としている。【０００８】  また、支柱には光センサーを設け、コントローラの制御により昼間は横断者用照明灯の点灯を停止させることが望ましい。【０００９】  さらに、支柱にはスピーカを設け、制御ユニット内の音声ガイドコントローラにより、スイッチを操作したとき、横断歩行者に音声で注意事項をガイドすることが望ましい。
【考案の効果】
【００１０】  本考案によれば、横断歩行者が横断前にスイッチを操作することにより、横断中表示灯を点灯するので、車両の運転者に対して、横断歩行者が横断する意思を的確に伝えることができる。また、横断者用照明灯によって横断歩行者及び横断する横断歩道を照明するので、夜間でも横断歩行者の存在を運転者に認知させることが可能となる。さらに、太陽電池パネルからの電力を充電するバッテリーを備えているので、信号機のない道路など電力供給を受け難い場所にも設置することが可能となる。【００１１】  また、光センサーを設けて、昼間の明るい時間帯には横断者用照明灯の点灯を停止させることにより、電力消費を抑制することが可能となる、【００１２】  さらに、スピーカを設け、スイッチを操作したときに音声ガイドによって横断歩行者に音声で注意事項をガイドすることにより、横断歩行者の急な飛び出しによる事故を未然に防止することができ、しかも、視覚障害者に対しても安全を確保することが可能となる。
【図面の簡単な説明】
【００１３】
【図１】本考案に係る横断表示装置の実施例を示す構成図である。
【図２】コントローラ等を収納する横断歩道道路標識を示す側面図である。
【図３】横断歩道を示す平面図である。
【図４】制御ユニットの制御系統を示すブロック図である。
【図５】（Ａ）（Ｂ）（Ｃ）は、状況に応じた動作を示す説明図である。
【考案を実施するための形態】
【００１４】  横断歩行者が横断する車道の側部には、横断表示装置が設置される。車道の側部には支柱が立設され、この支柱には、横断歩行者や横断する横断歩道を照明する横断者用照明灯と、前記横断歩行者が横断することを車両に報知するための横断中表示灯と、前記横断歩行者が横断前に操作するスイッチと、前記スイッチの操作により前記横断者用照明灯、前記横断中表示灯の動作を制御するコントローラと、前記支柱の設けられた太陽電池パネルからの電力を充電するバッテリーとが備えられている。
【００１５】  以下、図面に基づいて本考案の実施例を詳細に説明する。図３に示すように、横断歩行者が車道１を横断するための横断歩道２が設けられ、この横断歩道２の両側に位置する道路の側部には、各々横断表示装置Ｄが設けられている。
【００１６】  図１に示すように、車道１の側部には支柱３が立設され、この支柱３の上方には、横断歩行者４を照明する横断者用照明灯５と、横断歩道２を歩行する横断歩行者４を照明するための横断歩道照明灯６と、横断歩行者４が横断することを車両に報知するための横断中表示灯７と、太陽電池パネル８が設けられている。さらに、支柱３の上側には、内照式の横断歩道道路標識９が設置され、支柱３の中間には、押しボタン型のスイッチ１０が設けられている。また、支柱３の上側の横断歩道道路標識９近傍には、スピーカ１１が設けられている。さらに、支柱３の上側には、昼夜の照度を検出するための光センサー（図示しない）が取り付けられている。
【００１７】  支柱３の上方には、クロスバー１２が取り付けられ、横断中表示灯７と横断歩道照明灯６は、クロスバー１２の横断歩道側の先端に取り付けられ、反対側には横断者用照明灯５が取り付けられている。横断者用照明灯５は、下方に向けたシェードが設けられ、横断表示装置Ｄの近傍に立った横断歩行者４を照射するようにしている。また、横断歩道照明灯６も傾斜させたシェードが設けられ、横断歩道２のほぼ全体を照射するようにしている。
【００１８】  横断中表示灯７は、図１に示すように、例えば「横断します」のような文字が光を透過するように構成され、内部に電球や蛍光灯或いはＬＥＤ等の発光源が配設されている。なお、横断中表示灯７の文字は、ＬＥＤを文字となるように配列しても良い。
【００１９】  断歩道道路標識９は、図２に示すように背面側にボックス９ａが取り付けられ、このボックス９ａには、道路標識照明用のバックライト１３、コントローラ１４、及び、バッテリー１５が内蔵されている。
【００２０】  コントローラ１４は、図４に示すように、制御ユニット１５と、この制御ユニット１５によって制御されて照明灯や表示灯の点滅を駆動制御する照明灯コントローラ１６、表示灯コントローラ１７が設けられている。また、音声ガイドコントローラ１８も内蔵されている。
【００２１】  そして、制御ユニット１５の入力端には、スイッチ１０及び光センサーＬＳが接続されている。また、照明灯コントローラ１６の出力端には、横断者用照明灯５及び横断歩道照明灯６が接続され、表示灯コントローラ１７の出力端には、横断中表示灯７が接続されている。さらに、音声ガイドコントローラ１８の出力端には、スピーカ１１が接続されている。これらの制御ユニット１５、照明灯コントローラ１６、表示灯コントローラ１７、及び、音声ガイドコントローラ１８の電源端子にはバッテリー１５が接続され、電力を供給している。また、バッテリー１５には太陽電池パネル８が接続され、発電した電力を充電するようにしている。
【００２２】  次に、横断表示装置Ｄの動作について説明する。図５（Ａ）は、横断歩行者４が存在しない状態を示し、スイッチ１０から信号が入力されないことから、横断者用照明灯５及び横断歩道照明灯６はＯＦＦの状態であり消灯している。また、横断中表示灯７もＯＦＦの状態であり消灯している。このとき、道路標識照明用のバックライト１３も消灯するようにしても良い。
【００２３】  図５（Ｂ）は、昼間のときに、横断歩行者４が横断歩道２を横断する前の状態を示している。横断歩行者４が横断するためにスイッチ１０を押すと、制御ユニット１５の指令によって表示灯コントローラ１７が作動して横断中表示灯７がＯＮとなって点灯する。これにより、道路を走行中の車両の運転者に対して、横断歩行者４が横断する意思を的確に伝えることができる。このとき、音声ガイドコントローラ１８も作動して、例えば、「左右を確認して、車が停止してから横断して下さい。」などのメッセージをスピーカ１１から注意事項を音声で横断歩行者４に伝えてガイドすることにより、横断歩行者の急な飛び出しによる事故を未然に防止する。なお、昼間のために、光センサーＬＤの信号により、横断者用照明灯５及び横断歩道照明灯６はＯＦＦの状態であり消灯している。このとき、道路標識照明用のバックライト１３も消灯するようにしても良い。
【００２４】  図５（Ｃ）は、夜間のときに、横断歩行者４が横断歩道２を横断する前の状態を示している。横断歩行者４が横断するためにスイッチ１０を押すと、光センサーＬＤの信号により、制御ユニット１５の指令によって表示灯コントローラ１７が作動して横断中表示灯７がＯＮとなって点灯する。さらに、横断者用照明灯５及び横断歩道照明灯６がＯＮとなって点灯し、横断歩行者４及び横断歩道２を照明する。これにより、道路を走行中の車両の運転者に対して、横断歩行者４が横断する意思を横断中表示灯７と、横断者用照明灯５及び横断歩道照明灯６による照明によって的確に伝えることができる。このとき、音声ガイドコントローラ１８も前述と同様に作動して、メッセージをスピーカ１１から音声で横断歩行者４に伝えてガイドする。この結果、横断歩行者の急な飛び出しによる事故を未然に防止することができる。なお、夜間は、道路標識照明用のバックライト１３を点灯するようにしても良い。
【００２５】  以上、本考案を実施例に基づき具体的に説明したが、本考案は上記実施例に限定されるものではなく、その要旨を逸脱しない範囲で種々変形可能であることは言うまでもない。前述した実施例は、道路の路面にゼブラ模様などを標示した横断歩道としたが、ゼブラ模様の標示がない道路であっても、横断表示装置を設置した場所を横断歩道と見なしても良い。また、横断中表示灯は、文字ではなく、運転者が横断歩行者の存在を認識できるものであれば、イラストなどの図形に変更しても良い。
【符号の説明】
【００２６】１    車道
２    横断歩道
３    支柱
４    横断歩行者
５    横断者用照明灯
６    横断歩道照明灯
７    横断中表示灯
８    太陽電池パネル
９    横断歩道道路標識
１０  スイッチ
１１  スピーカ
１４  コントローラ
１５  制御ユニット
１８  音声ガイドコントローラ
Ｄ    横断表示装置
ＬＳ  光センサー
【図１】
0003185192.tif 000003
【図２】
0003185192.tif 000004
【図３】
0003185192.tif 000005
【図４】
0003185192.tif 000006
【図５】
0003185192.tif 000007